【手続補正書】
【提出日】平成16年1月16日(2004.1.16)
【手続補正１】
【補正対象書類名】明細書
【補正対象項目名】発明の名称
【補正方法】変更
【補正の内容】
【発明の名称】表示用放電管


【手続補正２】
【補正対象書類名】明細書
【補正対象項目名】特許請求の範囲
【補正方法】変更
【補正の内容】
【特許請求の範囲】
【請求項１】
互いに  略平行な複数の表示用電極と前記表示用電極と略平行に配置した複数の第１アドレス電極とを有する第１の基板と、前記第１の基板に対向配置されて前記表示用電極と第１アドレス電極に交差し、かつ互いに略平行な複数の第２アドレス電極を有する第２の基板を備え、前記第１の基板と前記第２の基板の間にガスを封入して放電領域を形成した表示用放電管において、
前記表示用電極を覆う誘電体層を有すると共に、１画素内に前記表示用電極の電極対と該電極対の間に配置した前記第１アドレス電極および前記第２アドレス電極とを有して４電極を成し、前記第１アドレス電極と前記第２アドレス電極との間の放電により表示画素を選択すると共に、前記電極対間で表示のための主放電を行なうことを特徴とする表示用放電管。
【請求項２】
互いに略平行な複数の表示用電極と前記表示用電極と略平行に配置した複数の第１アドレス電極とを有する第１の基板と、前記第１の基板に対向配置されて前記表示用電極と第１アドレス電極に交差し、かつ互いに略平行な複数の第２アドレス電極を有する第２の基板を備え、前記第１の基板と前記第２の基板の間にガスを封入して放電領域を形成した表示用放電管において、
前記表示用電極を覆う誘電体層を有すると共に、１画素内に前記表示用電極の電極対と該電極対の間に配置した第１アドレス電極および第２アドレス電極とを有して４電極を成し、前記電極対間に表示のための主放電を行なわせる電圧を与える回路と、該回路から独立して前記第１アドレス電極に電圧を与える回路を有することを特徴とする表示用放電管。
【請求項３】
前記電極対間で表示のための主放電を行なう時に、前記第１アドレス電極に対して該主放電に変化を与える電圧または電圧波形を与えることを特徴とする請求項１に記載の表示用放電管。
【請求項４】
前記表示用電極が、第２アドレス電極が延在方向に隣接する画素間で共有されていることを特徴とする請求項１に記載の表示用放電管。
【請求項５】
前記第２の基板に画素間を前記表示用電極の延在方向に分離する概略ストライプ状の隔壁を備えていることを特徴とする請求項１に記載の表示用放電管。
【請求項６】
前記第２の基板に画素間を分離する格子状の隔壁を備えていることを特徴とする請求項１に記載の表示用放電管。
【請求項７】
前記表示用電極が透明電極と、当該透明電極とは電気抵抗の異なる導体からなる不透明な母電極から成ることを特徴とする請求項１に記載の表示用放電管。
【手続補正３】
【補正対象書類名】明細書
【補正対象項目名】０００１
【補正方法】変更
【補正の内容】
【０００１】
【発明の属する技術分野】
本発明は、表示用放電管に係り、特にプラズマ放電を用いたアドレス動作により画素選択を行う表示用放電管に関する。


【手続補正４】
【補正対象書類名】明細書
【補正対象項目名】０００９
【補正方法】変更
【補正の内容】
【０００９】
表示の際には、アドレス電極７と１表示画素内の１つの表示用電極５との間でアドレス放電が行われ、その後２つの表示用電極５間で表示放電が行われる。表示用電極５は所謂メモリ電極である。表示用電極の放電のプラズマにより蛍光体１０が励起されて紫外線が放出され、これを前面基板１から表示光として取り出す。


【手続補正５】
【補正対象書類名】明細書
【補正対象項目名】００２０
【補正方法】変更
【補正の内容】
【００２０】
本発明の目的は、上記従来のＰＤＰの諸問題を解消し、構成を簡素化すると共に、高輝度・高精細な表示を可能とした表示用放電管を提供することにある。


【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
【課題を解決するための手段】
上記目的を達成するための本発明の構成を列挙すれば、次のとおりである。


【手続補正９】
【補正対象書類名】明細書
【補正対象項目名】００２４
【補正方法】変更
【補正の内容】
【００２４】
（１）  互いに  略平行な複数の表示用電極と前記表示用電極と略平行に配置した複数の第１アドレス電極とを有する第１の基板と、前記第１の基板に対向配置されて前記表示用電極と第１アドレス電極に交差し、かつ互いに略平行な複数の第２アドレス電極を有する第２の基板を備え、前記第１の基板と前記第２の基板の間にガスを封入して放電領域を形成した表示用放電管において、前記表示用電極を覆う誘電体層を有すると共に、１画素内に前記表示用電極の電極対と該電極対の間に配置した前記第１アドレス電極および前記第２アドレス電極とを有して４電極を成し、前記第１アドレス電極と前記第２アドレス電極との間の放電により表示画素を選択すると共に、前記電極対間で表示のための主放電を行なうことを特徴とする。


【手続補正１０】
【補正対象書類名】明細書
【補正対象項目名】００２５
【補正方法】変更
【補正の内容】
【００２５】
（２）  互いに略平行な複数の表示用電極と前記表示用電極と略平行に配置した複数の第１アドレス電極とを有する第１の基板と、前記第１の基板に対向配置されて前記表示用電極と第１アドレス電極に交差し、かつ互いに略平行な複数の第２アドレス電極を有する第２の基板を備え、前記第１の基板と前記第２の基板の間にガスを封入して放電領域を形成した表示用放電管において、前記表示用電極を覆う誘電体層を有すると共に、１画素内に前記表示用電極の電極対と該電極対の間に配置した第１アドレス電極および第２アドレス電極とを有して４電極を成し、前記電極対間に表示のための主放電を行なわせる電圧を与える回路と、該回路から独立して前記第１アドレス電極に電圧を与える回路を有することを特徴とする。


【手続補正１１】
【補正対象書類名】明細書
【補正対象項目名】００２６
【補正方法】変更
【補正の内容】
【００２６】
（３）  （１）における前記電極対間で表示のための主放電を行なう時に、前記第１アドレス電極に対して該主放電に変化を与える電圧または電圧波形を与えることを特徴とする


【手続補正１２】
【補正対象書類名】明細書
【補正対象項目名】００２７
【補正方法】変更
【補正の内容】
【００２７】
（４）  （１）における前記表示用電極が、第２アドレス電極が延在方向に隣接する画素間で共有されていることを特徴とする。


【手続補正１３】
【補正対象書類名】明細書
【補正対象項目名】００２８
【補正方法】変更
【補正の内容】
【００２８】
（５）  （１）における前記第２の基板に画素間を前記表示用電極の延在方向に分離する概略ストライプ状の隔壁を備えていることを特徴とする。


【手続補正１４】
【補正対象書類名】明細書
【補正対象項目名】００２９
【補正方法】変更
【補正の内容】
【００２９】
（６）  （１）における前記第２の基板に画素間を分離する格子状の隔壁を備えていることを特徴とする。


【手続補正１５】
【補正対象書類名】明細書
【補正対象項目名】００３０
【補正方法】変更
【補正の内容】
【００３０】
（７）  （１）における前記表示用電極が透明電極と、当該透明電極とは電気抵抗の異なる導体からなる不透明な母電極から成ることを特徴とする。


【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】削除
【補正の内容】
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】削除
【補正の内容】
【手続補正３４】
【補正対象書類名】明細書
【補正対象項目名】００４９
【補正方法】削除
【補正の内容】
【手続補正３５】
【補正対象書類名】明細書
【補正対象項目名】００５０
【補正方法】削除
【補正の内容】
【手続補正３６】
【補正対象書類名】明細書
【補正対象項目名】００５１
【補正方法】削除
【補正の内容】
【手続補正３７】
【補正対象書類名】明細書
【補正対象項目名】００５２
【補正方法】削除
【補正の内容】
【手続補正３８】
【補正対象書類名】明細書
【補正対象項目名】０１８９
【補正方法】削除
【補正の内容】